(57)【要約】      （修正有）【課題】この発明は、手術等を行うことなく、顔面の所定の場所にテープを所定期間（３ケ月〜１年）、繰り返し（主に、就寝中）貼ることにより、目頭を開くことや、鼻をすっきり高くすることを目的とする。【解決手段】この発明の瞼整形用ストレッチ・テープは、目と目の間の目頭に近接して、もしくは目の横の目尻じりに近接して貼り付けられ、瞼の皮膚を伸張することにより目を切れ長にパッチリと整形する。【選択図】      図１
2004261194.tif 000002
【特許請求の範囲】
【請求項１】
目と目の間の目頭に近接して、もしくは目の横の目尻じりに近接して貼り付けられ、瞼の皮膚を伸張することにより目を切れ長にパッチリと整形することを特徴とする瞼整形用ストレッチ・テープ。
【請求項２】
前記テープが目頭もしくは目尻を指し示すような角度を付けられていることを特徴とする前記請求項１記載の瞼整形用ストレッチ・テープ。
【請求項３】
前記テープが巾５〜１５ｍｍ、長さ１５〜３０ｍｍであり、前記角度が２０〜６０度であることを特徴とする前記請求項２記載の瞼整形用ストレッチ・テープ。
【請求項４】
逆Ｕ字形状、もしくは逆Ｖ字形状をなし、該逆Ｕ字形状、もしくは逆Ｖ字形状の頂部を目と目の間の鼻上部に、該逆Ｕ字形状、もしくは逆Ｖ字形状の両脚部を鼻中腹部の両側部にして貼り付けることにより、鼻中腹部を頭部方向に引っ張ることを特徴とする鼻整形用ストレッチ・テープ。
【請求項５】
前記テープの巾５〜２０ｍｍ、前記逆Ｕ字、もしくは逆Ｖ字形状の１辺の長さが１５〜３５ｍｍであり、前記前記逆Ｕ字、もしくは逆Ｖ字形状の開き角度が０〜１２０度であることを特徴とする前記請求項４記載の鼻整形用ストレッチ・テープ。
【請求項６】
略三角形状をなし、該三角形状の中心を小鼻上部に貼り付けることにより、小鼻の軟骨を刺激し、小鼻を小さくすることを特徴とする小鼻整形用ストレッチ・テープ。
【請求項７】
前記テープの巾５〜４０ｍｍ、前記三角形状の底辺の長さが３５〜５０ｍｍであり、前記三角形状の頂点の開き角度が０〜１２０度であることを特徴とする前記請求項６記載の小鼻整形用ストレッチ・テープ。
【発明の詳細な説明】
【０００１】
【発明の属する技術分野】
この発明は、顔面の整形を目的に顔面に貼り付けられて用いられるストレッチ・テープに関し、特に瞼の整形、および鼻の整形に適したストレッチ・テープに関する。
【０００２】
【従来の技術】
日本人は目頭や目尻が被る傾向にあり、従来、目元をパッチリさせ、切れ長の目にするため、目頭や目尻を切開することが行われている。しかし、目頭や目尻の切開は手術の手間とリスク、及び費用がかかるため、それほど多くは行われていない。
【０００３】
また、従来鼻を高くするため、同様に整形手術がおこなわれているが、これも同じく手間とリスク、及び費用がかかる欠点がある。
【０００４】
また、特表２００２−５１８３０６号公報、特開２００２−２３９０１７号公報、特開２００２−１２５９９２号公報等には、鼻孔を広げるためのテープが開示されており、特開２００２−３４５８７０号公報には鼻筋矯正具が開示されている。また、特開平１０−３０４９３５号公報には二重まぶた形成用テープが、特開平９−１４３０２６号公報には顔皺矯正用貼付具が、特開平９−１６８４２４号公報にはしわ、たるみ矯正具が開示されている。
【０００５】
しかし、これらのテープは、目頭を開く効果はなく、また鼻をすっきり高くするための効果も十分でないという欠点がある。
【０００６】
【特許文献１】
特表２００２−５１８３０６号公報
【特許文献２】
特開２００２−２３９０１７号公報
【特許文献３】
特開２００２−１２５９９２号公報
【特許文献４】
特開２００２−３４５８７０号公報等
【特許文献５】
特開平１０−３０４９３５号公報
【特許文献６】
特開平９−１４３０２６号公報
【特許文献７】
特開平９−１６８４２４号公報
【０００７】
【発明が解決しようとする課題】
この発明は、手術等を行うことなく、顔面の所定の場所にテープを所定期間（３ケ月〜１年）、繰り返し（主に、就寝中）貼ることにより、目頭を開くことや、鼻をすっきり高くすることを目的とする。
【０００８】
【課題を解決するための手段】
この発明の瞼整形用ストレッチ・テープは、目と目の間の目頭に近接して、もしくは目の横の目尻じりに近接して貼り付けられ、瞼の皮膚を伸張することにより目を切れ長にパッチリと整形することを特徴とする。
【０００９】
さらに、前記テープが目頭もしくは目尻を指し示すような角度を付けられており、また前記テープが巾５〜１５ｍｍ、長さ１５〜３０ｍｍであり、前記角度が２０〜６０度であることを特徴とする。
【００１０】
あるいは、この発明の鼻整形用ストレッチ・テープは、逆Ｕ字形状、もしくは逆Ｖ字形状をなし、該逆Ｕ字形状、もしくは逆Ｖ字形状の頂部を目と目の間の鼻上部に、該逆Ｕ字形状、もしくは逆Ｖ字形状の両脚部を鼻中腹部の両側部にして貼り付けることにより、鼻中腹部を頭部方向に引っ張ることを特徴とする。
【００１１】
さらに、前記テープの巾５〜２０ｍｍ、前記逆Ｕ字、もしくは逆Ｖ字形状の１辺の長さが１５〜３５ｍｍであり、前記前記逆Ｕ字、もしくは逆Ｖ字形状の開き角度が０〜１２０度であることを特徴とする。
【００１２】
あるいは、この発明の小鼻整形用ストレッチ・テープは、  略三角形状をなし、該三角形状の中心を小鼻上部に貼り付けることにより、小鼻の軟骨を刺激し、小鼻を小さくすることを特徴とする。
【００１３】
さらに、前記テープの巾５〜４０ｍｍ、前記三角形状の底辺の長さが３５〜５０ｍｍであり、前記三角形状の頂点の開き角度が０〜１２０度であることを特徴とする。
【００１４】
【発明の実施の形態】
以下、この発明の実施例を図面を用いて説明する。
【００１５】
（実施例１）
図１は、この発明の目頭５、目尻６に貼り付けて、長期間（３ケ月以上）主として夜間寝るときに連続使用することにより、図の矢印の方向に引っ張られて瞼の皮膚が伸び、目が切れ長でパッチリと整形するためのストレッチ・テープ１，２の使用状態を示す。そのストレッチ・テープ１，２の形状のいくつかの例を図２に示す。
【００１６】
図２に示す如く、該テープは目頭もしくは目尻を指し示すような角度を付けられる形状が、目頭や目尻に引っ張る力が集中するので好適である。テープはほぼ水平に張られ、特に目頭間は両目頭を一枚のテープで張ることが望ましい。目尻も水平に張る方が目尻を水平方向に引っ張りので好ましい。また、この時の上記目頭もしくは目尻を指し示す角度は２０〜６０度が好ましく、該テープは巾５〜１５ｍｍ、長さ１５〜３０ｍｍ位が大きさとして適当である。このテープを長期間（３ケ月以上）主として夜間寝るときに連続使用することにより、目頭が自然に開く効果があり、目頭が開くことにより切れ長でパッチリした目となる。これは目頭を切開した効果と同じであり、特に手術等の苦痛を伴わず、しかも非常に安い費用で瞼が整形される。
【００１７】
（実施例２）
図３には、この発明の鼻に貼り付けて、長期間（１年以上）主として夜間寝るときに連続使用することにより、鼻の軟骨を刺激し、鼻筋がすっきりと高く整形されるためのストレッチ・テープの使用状態を示す。そのストレッチ・テープの形状のいくつかの例を図４に示す。
【００１８】
図４に示す如く、逆Ｕ字形状、もしくは逆Ｖ字形状をなし、該逆Ｕ字形状、もしくは逆Ｖ字形状の頂部を目と目の間の鼻上部に、該逆Ｕ字形状、もしくは逆Ｖ字形状の両脚部を鼻中腹部の両側部にして貼り付けることにより、鼻中腹部を頭部方向（矢印方向）に引っ張る作用をなす。また、このとき、鼻腔も広がるので、該テープはイビキ防止やスポーツの呼吸補助の目的にも用いることができる。該テープは、巾５〜２０ｍｍ、１辺の長さが１５〜３５ｍｍ位が大きさとして適当であり、また前記前記逆Ｕ字、もしくは逆Ｖ字形状の開き角度が０〜１２０度であることが好ましい。ただし、顔面に張る時は逆Ｕ字、もしくは逆Ｖ字形状の両脚が鼻の側面に沿って張られることになるので、その開き角度は正面から見て３０〜４５度になる。
【００１９】
なお、従来の特表２００２−５１８３０６号公報に記載されるような鼻の上に貼り付ける鼻テープは、鼻を上部（顔の前面方向、すなわち顔面に対して垂直方向）に持ち上げようとするものであるが、この発明の前記鼻テープは鼻を頭部方向に持ち上げようとするものであって、その引っ張る方向が９０度異なる。
【００２０】
上記従来の鼻テープに比較すると、この発明の方が鼻孔を広げる効果は大きく、また鼻を縦方向に引っ張るので鼻筋をすっきりさせる点でも従来より効果が高い。
【００２１】
（実施例３）
図５には、この発明の小鼻に部分に貼り付けて、長期間（１年以上）主として夜間寝るときに連続使用することにより矢印方向に引っ張り、鼻の軟骨を刺激し、小鼻が小さくなり鼻がすっきりと高く整形されるためのストレッチ・テープの使用状態を示す。そのストレッチ・テープの形状のいくつかの例を図６に示す。
【００２２】
図６に示す如く、該テープの形状は三角形を中心とした形状で、三角形の頂点の角度は３０〜１２０度が好ましい。該テープは、巾５〜４０ｍｍ、底辺の長さが３０〜５０ｍｍ位が大きさとして適当である。
【００２３】
【発明の効果】
この発明のストレッチ・テープは、コストと肉体への負担の大きい手術等をすることなく、安価なストレッチ・テープを長期間、根気よく使用することにより、目や鼻の整形を簡便に行える顕著な効果を奏する。
【図面の簡単な説明】
【図１】この発明の目のストレッチ・テープの使用状態を示す図である。
【図２】図１のストレッチ・テープの種々の形状を示す図である。
【図３】この発明の鼻のストレッチ・テープの使用状態を示す図である。
【図４】図３のストレッチ・テープの種々の形状を示す図である。
【図５】この発明の鼻の他のストレッチ・テープの使用状態を示す図である。
【図６】図５のストレッチ・テープの種々の形状を示す図である。
【符号の説明】
１      ストレッチ・テープ
２      ストレッチ・テープ
３      ストレッチ・テープ
４      ストレッチ・テープ
【図１】
2004261194.tif 000003
【図２】
2004261194.tif 000004
【図３】
2004261194.tif 000005
【図４】
2004261194.tif 000006
【図５】
2004261194.tif 000007
【図６】
2004261194.tif 000008
【手続補正書】
【提出日】平成15年12月17日(2003.12.17)
【手続補正１】
【補正対象書類名】明細書
【補正対象項目名】特許請求の範囲
【補正方法】変更
【補正の内容】
【特許請求の範囲】
【請求項１】
目頭もしくは目尻に引っ張る力が集中する形状であって、目と目の間
の目頭に近接して、もしくは目の横の目尻に近接して貼り付けられ、上記目頭もしくは目
尻近辺の皮膚を伸張することにより、目を切れ長にパッチリと整形することを特徴とする
瞼整形用ストレッチ・テープ。
【請求項２】
前記テープが巾５〜１５mm、長さ１５〜３０mmであり、前記目頭もし
くは目尻に引っ張る力が集中する形状が円形、楕円形、三角形形状のいずれかであること
を特徴とする前記請求項１記載の瞼整形用ストレッチ・テープ。
【手続補正２】
【補正対象書類名】明細書
【補正対象項目名】発明の詳細な説明
【補正方法】変更
【補正の内容】
【発明の詳細な説明】
【０００１】
【発明の属する技術分野】
この発明は、顔面の整形を目的に顔面に貼り付けられて用いられるストレッチ・テープに関し、特に瞼の整形に適したストレッチ・テープに関する。
【０００２】
【従来の技術】
日本人は目頭が被る傾向にあり、従来、目元をパッチリさせ、切れ長の目にするため、
目頭を切開することが行われている。しかし、目頭の切開は手術の手間とリスク、及び費用がかかるため、それほど多くは行われていない。
【０００３】
また、特開平１０−３０４９３５号公報には二重まぶた形成用テープが、特開平９−１４３０２６号公報には顔皺矯正用貼付具が、特開平９−１６８４２４号公報にはしわ、たるみ矯正具が開示されている。
しかし、これらのテープは、目頭を開く効果はないという欠点がある。
【０００４】
【特許文献１】
特開平１０−３０４９３５号公報
【特許文献２】
特開平９−１４３０２６号公報
【特許文献３】
特開平９−１６８４２４号公報
【０００５】
【発明が解決しようとする課題】
この発明は、手術等を行うことなく、顔面の所定の場所にテープを所定期間（３ヶ月〜１年）、繰り返し（主に、就寝中）貼ることにより、目頭を開く手段を提供することを目的とする。
【０００６】
【課題を解決するための手段】
この発明の瞼整形用ストレッチ・テープは、目頭もしくは目尻に引っ張る力が集中する形状であって、目と目の間の目頭に近接して、もしくは目の横の目尻に近接して貼り付けられ、上記目頭もしくは目尻近辺の皮膚を伸張することにより、目を切れ長にパッチリと整形することを特徴とする。
【０００７】
さらに、前記テープが巾５〜１５mm、長さ１５〜３０mmであり、前記目頭もしくは目尻に引っ張る力が集中する形状が円形、楕円形、三角形形状のいずれかであることを特徴とする。
【０００８】
【発明の実施の形態】
以下、この発明の実施例を図面を用いて説明する。
(実施例）
図１は、この発明の目頭５、目尻６に貼り付けて、長期間（３ケ月以上）主として夜間寝るときに連続使用することにより、瞼の皮膚が伸び、目が切れ長でパッチリと整形するためのストレッチ・テープ１，２の使用状態を示す。そのストレッチ・テープ１，２の形状のいくつかの例を図２に示す。
【０００９】
図２に示す如く、該テープは目頭もしくは目尻に引っ張る力が集中する形状であって、
該形状が円形、楕円形、三角形形状のいずれかであることが好ましい。例えば、目頭もしくは目尻を指し示すような角度を付けられる形状（円形を含む）が目頭や目尻に引っ張る力が集中するので好適である。テープはほぼ水平に張られることが望ましい。目尻も水平に張る方が目尻を水平方向に引っ張るので好ましい。
【００１０】
また、上記形状が三角形状の場合、この時の上記目頭もしくは目尻を指し示す角度は２０〜６０度が好ましく、該テープは巾５〜１５mm、長さ１５〜３０mm位が大きさとして適当である。このテープを長期間（３ケ月以上）主として夜間寝るときに連続使用することにより、目頭が自然に開く効果があり、目頭が開くことにより切れ長でパッチリした目となる。これは目頭を切開した効果と同じであり、特に手術等の苦痛を伴わず、しかも非常に安い費用で瞼が整形される。
【００１1】
【発明の効果】
この発明のストレッチ・テープは、コストと肉体への負担の大きい手術等をすることなく、安価なストレッチ・テープを長期間、根気よく使用することにより、
目の整形を簡便に行える顕著な効果を奏する。


【手続補正３】
【補正対象書類名】明細書
【補正対象項目名】図面の簡単な説明
【補正方法】変更
【補正の内容】
【図面の簡単な説明】
【図１】この発明の目のストレッチ・テープの使用状態を示す図である。
【図２】図１のストレッチ・テープの種々の形状を示す図である。
【符号の説明】
１    ストレッチ・テープ
２    ストレッチ・テープ


【手続補正４】
【補正対象書類名】図面
【補正対象項目名】図３
【補正方法】削除
【補正の内容】
【手続補正５】
【補正対象書類名】図面
【補正対象項目名】図４
【補正方法】削除
【補正の内容】
【手続補正６】
【補正対象書類名】図面
【補正対象項目名】図５
【補正方法】削除
【補正の内容】
【手続補正７】
【補正対象書類名】図面
【補正対象項目名】図６
【補正方法】削除
【補正の内容】
【手続補正書】
【提出日】平成16年3月19日(2004.3.19)
【手続補正１】
【補正対象書類名】明細書
【補正対象項目名】特許請求の範囲
【補正方法】変更
【補正の内容】
【特許請求の範囲】
【請求項１】
目頭もしくは目尻に引っ張る力が集中する形状であって、目と目の間の目頭に近接して、もしくは目の横の目尻に近接して貼り付けられ、所定の目頭もしくは目尻近辺の皮膚を水平方向で、かつ一方向に引っ張って伸張することにより、目を切れ長にパッチリと整形することを特徴とする瞼整形用ストレッチ・テープ。
【請求項２】
前記テープが巾５〜１５mm、長さ１５〜３０mmであり、前記目頭もしくは目尻に引っ張る力が集中する形状が円形、楕円形、三角形形状のいずれかであることを特徴とする前記請求項１記載の瞼整形用ストレッチ・テープ。
【手続補正２】
【補正対象書類名】明細書
【補正対象項目名】０００６
【補正方法】変更
【補正の内容】
【０００６】
【課題を解決するための手段】
この発明の瞼整形用ストレッチ・テープは、目頭もしくは目尻に引っ張る力が集中する形状であって、目と目の間の目頭に近接して、もしくは目の横の目尻に近接して貼り付けられ、所定の目頭もしくは目尻近辺の皮膚を水平方向で、かつ一方向に引っ張って伸張することにより、目を切れ長にパッチリと整形することを特徴とする。


【手続補正３】
【補正対象書類名】明細書
【補正対象項目名】０００８
【補正方法】変更
【補正の内容】
【０００８】
【発明の実施の形態】
以下、この発明の実施例を図面を用いて説明する。
(実施例)
図１は、この発明の目頭５、目尻６に貼り付けて、長期間（３ケ月以上）主として夜間寝るときに連続使用することにより、図の矢印の方向に引っ張られて瞼の皮膚が伸び、目が切れ長でパッチリと整形するためのストレッチ・テープ１，２の使用状態を示す。そのストレッチ・テープ１，２の形状のいくつかの例を図２に示す。